(57)【要約】【課題】利用者の現在の情報を正確に把握して登録でき、かつ利用者の現在の状態を容易に確認する。【解決手段】利用者スケジュールファイルに予め利用者毎に場所及び仕事内容並びに最新の場所を時間情報と共に登録しておく。携帯電話のＧＰＳ機能を利用して取得された利用者の位置情報からある時間における利用者の現在の場所を把握し、その得られた利用者の現在場所と、利用者スケジュールファイルに予め登録されたある時間における利用者の場所とを照合する。その照合結果に応じて、利用者の時間における利用者スケジュールファイルの最新の場所を更新する。参照者は利用者スケジュールファイルの内容を参照することができる。【選択図】図１
2011022706.tif 000002
【特許請求の範囲】
【請求項１】
利用者が所持するＧＰＳ機能付きの携帯電話と、該利用者スケジュールファイルの情報を管理するサーバを含み、該携帯電話のＧＰＳ機能により取得された位置情報を利用者のスケジュールに反映するスケジュール管理システムであって、
利用者毎に、場所及び仕事内容並びに最新の場所を時間情報と共に登録する利用者スケジュールファイルと、
該利用者スケジュールファイルに、スケジュールとして利用者の場所及び仕事内容を登録するために、該利用者の情報を入力する操作部と、
該携帯電話のＧＰＳ機能を利用して取得された、利用者の位置情報からある時間における利用者の現在の場所を把握する存在場所処理手段と、
該存在場所処理手段によって得られた該利用者の現在場所と、該利用者スケジュールファイルに予め登録された該ある時間における該利用者の場所とを照合し、該照合結果に応じて該利用者の該時間における該利用者スケジュールファイルの該最新の場所を更新する利用者場所処理手段と、
該利用者スケジュールファイルの内容を参照する参照手段と、
を有することを特徴とするスケジュール管理システム。
【請求項２】
請求項１記載のスケジュール管理システムであって、更に、
地図上の場所と、場所名称を含む属性情報を記憶する地図データ属性データファイルと、該地図データ属性データファイルを読取り登録する属性データ読取登録手段と、該存在場所処理手段によって把握された利用者の現在場所を利用者に固有の利用者ＩＤ毎に登録する利用者現在地ファイルと、前記存在場所処理手段を有する地図サーバを備え、
前記存在場所処理手段は、ＧＰＳ機能によって得られた位置情報に、該地図データ属性データファイルに登録された場所が存在するかを判断し、存在する場合には該地図データ属性データファイルから該場所名称を取得して、該利用者現在地ファイルの内容を更新し、
前記利用者場所処理手段は、該利用者現在地ファイルから得た、該利用者ＩＤに対応する現在地と、前記利用者スケジュールファイルに登録された、該利用者ＩＤに対応する、予め登録された場所とを照合して、その結果不一致の場合、前記利用者スケジュールファイルの最新の場所に、該利用者現在地ファイルから得た該現在地を登録することを特徴とするスケジュール管理システム。
【請求項３】
利用者が所持するＧＰＳ機能付きの携帯電話と、該利用者スケジュールファイルの情報を管理するサーバを含むスケジュール管理システムにおいて、該携帯電話のＧＰＳ機能により取得された位置情報を利用者のスケジュールに反映するスケジュール管理方法であって、
利用者スケジュールファイルに、利用者毎に場所及び仕事内容並びに最新の場所を時間情報と共に登録するステップと、
該利用者スケジュールファイルに、スケジュールとして利用者の場所及び仕事内容を登録するために、該利用者の情報を入力するステップと、
該携帯電話のＧＰＳ機能を利用して取得された、利用者の位置情報からある時間における利用者の現在の場所を把握する存在場所処理ステップと、
該存在場所処理ステップによって得られた該利用者の現在場所と、該利用者スケジュールファイルに予め登録された該ある時間における該利用者の場所とを照合し、該照合結果に応じて該利用者の該時間における該利用者スケジュールファイルの該最新の場所を更新する利用者場所処理ステップと、
該利用者スケジュールファイルの内容を参照するステップと、を有することを特徴とするスケジュール管理方法。
【請求項４】
請求項３記載のスケジュール管理方法であって、更に、
地図データ属性データファイルに、地図上の場所と場所名称を含む属性情報を記憶するステップと、
該地図データ属性データファイルを読取り登録するステップと、
前記存在場所処理ステップによって把握された利用者の現在場所を、利用者現在地ファイルに利用者に固有の利用者ＩＤ毎に登録するステップと、を有し、
前記存在場所処理ステップにおいて、ＧＰＳ機能によって得られた位置情報に、該地図データ属性データファイルに登録された場所が存在するかを判断し、存在する場合には該地図データ属性データファイルから該場所名称を取得して、該利用者現在地ファイルの内容を更新し、
前記利用者場所処理ステップにおいて、該利用者現在地ファイルから得た、該利用者ＩＤに対応する現在地と、前記利用者スケジュールファイルに登録された、該利用者ＩＤに対応する、予め登録された場所とを照合して、その結果不一致の場合、前記利用者スケジュールファイルの最新の場所に、該利用者現在地ファイルから得た該現在地を登録する、
ことを特徴とするスケジュール管理方法。
【発明の詳細な説明】
【技術分野】
【０００１】
本発明は個人のスケジュールを管理するスケジュール管理システム及び方法に係り、特に、現在の利用者の居場所と仕事内容を、携帯電話を用いて他人に知らせるスケジュール管理に関する。
【背景技術】
【０００２】
オフィスにおけるスケジュール管理は、通常各人が行先表示板に行き先を手書きするか、又はスケジュール管理システムを利用してスケジュール管理する方法がとられている。外部の打合せや外回りが多いビジネスパーソンは、オフィス内の自席で仕事をすることが少ないため、その人の居場所を他人が把握することが難しいことがある。
スケジュール管理システムに登録された情報は、当初登録された時点のものであり、スケジュールが時々変化する人の場合、最新の情報を反映していない。例えば、外出先を変更したり、打合せが延長している場合など不規則な状況には対応できていない。また、行き先の記載忘れや長期不在者の場合にはその人の運用に任せっきりのところもあり、正確とは言い難い。
【０００３】
特許文献１には、スケジュール管理サーバが、携帯電話とＧＰＳ測位システムを用いて関係者の位置情報及び都合を収集して、スケジュールの再調整をするスケジュール管理システムが開示されている。
【先行技術文献】
【特許文献】
【０００４】
【特許文献１】特開２００４−２２０１８５号公報
【発明の概要】
【発明が解決しようとする課題】
【０００５】
上記した従来技術には以下の問題点がある。
（１）現在、ユーザがどの場所で何をしているのかというユーザのスケジュールは、ユーザ自身がスケジューラシステムに必要な情報を入力しなければならず、ユーザの意思に依存している。そのため、ユーザの入力忘れや怠惰によって必要な情報が入力されず、ユーザが何処で何をしているのかという最新情報が把握できない。
（２）突発的にスケジュールが変更した場合、スケジューラシステムを利用できず、最新状態を反映することができない。
（３）情報が不正確な場合は、本人の携帯電話に連絡して確認するなど、本人に直接確認することがほとんどである。しかも、不正確かどうかはスケジューラシステムからは判断できない。また、外出中や打合せ中などで連絡が取れない場合は、どの場所にいるかを知りたい人がいたとき、それを知りたい人がまったく把握することができない。
（４）ユーザの現在地を知らせる方法として、特許文献１に記載のように、ＧＰＳを利用したものがあるが、ＧＰＳから取得された情報は、位置情報を示す座標である。たとえＧＰＳの座標位置がわかっても、ユーザが何のためにその座標位置に居て、今どういう状態にあるのかを判断することができず、スケジュール管理に適したものとは言い難い。そのため、スケジュール管理に利用しても、座標値だけでは意味をなさない。
【０００６】
本発明の目的は、利用者の現在の情報を正確に把握して登録でき、かつ利用者の現在の状態を容易に確認することができるスケジュール管理システム及び方法を提供することにある。
【課題を解決するための手段】
【０００７】
本発明に係るスケジュール管理システムは、好ましくは、利用者が所持するＧＰＳ機能付きの携帯電話と、該利用者スケジュールファイルの情報を管理するサーバを含み、該携帯電話のＧＰＳ機能により取得された位置情報を利用者のスケジュールに反映するスケジュール管理システムであって、
利用者毎に、場所及び仕事内容並びに最新の場所を時間情報と共に登録する利用者スケジュールファイルと、
該利用者スケジュールファイルに、スケジュールとして利用者の場所及び仕事内容を登録するために、該利用者の情報を入力する操作部と、
該携帯電話のＧＰＳ機能を利用して取得された、利用者の位置情報からある時間における利用者の現在の場所を把握する存在場所処理手段と、
該存在場所処理手段によって得られた該利用者の現在場所と、該利用者スケジュールファイルに予め登録された該ある時間における該利用者の場所とを照合し、該照合結果に応じて該利用者の該時間における該利用者スケジュールファイルの該最新の場所を更新する利用者場所処理手段と、
該利用者スケジュールファイルの内容を参照する参照手段と、を有することを特徴とするスケジュール管理システムとして構成される。
【０００８】
本発明に係るスケジュール管理方法は、好ましくは、利用者が所持するＧＰＳ機能付きの携帯電話と、該利用者スケジュールファイルの情報を管理するサーバを含むスケジュール管理システムにおいて、該携帯電話のＧＰＳ機能により取得された位置情報を利用者のスケジュールに反映するスケジュール管理方法であって、
利用者スケジュールファイルに、利用者毎に場所及び仕事内容並びに最新の場所を時間情報と共に登録するステップと、
該利用者スケジュールファイルに、スケジュールとして利用者の場所及び仕事内容を登録するために、該利用者の情報を入力するステップと、
該携帯電話のＧＰＳ機能を利用して取得された、利用者の位置情報からある時間における利用者の現在の場所を把握する存在場所処理ステップと、
該存在場所処理ステップによって得られた該利用者の現在場所と、該利用者スケジュールファイルに予め登録された該ある時間における該利用者の場所とを照合し、該照合結果に応じて該利用者の該時間における該利用者スケジュールファイルの該最新の場所を更新する利用者場所処理ステップと、
該利用者スケジュールファイルの内容を参照するステップと、を有することを特徴とするスケジュール管理方法として構成される。
【発明の効果】
【０００９】
本発明によれば、利用者の入退室を管理する機器が無い場合であってもＧＰＳ情報を用いることで利用者の現在の居場所を正確に把握することができる。また、ＧＰＳの情報は地図データ属性データファイルを利用することによりスケジュール管理に適応した、利用者にとって有効な情報となる。これにより、利用者は特に意識することなくその位置情報や場所情報を、入退室情報収集部や位置測地機構を通してスケジュール管理システムに登録することができる。また、他の者は、スケジュールが登録された利用者の最新の状態を確認することができる。
【図面の簡単な説明】
【００１０】
【図１】一実施例によるスケジュール管理システムの構成例を示す図。
【図２】一実施例におけるＧＰＳによる場所判定フローチャートを示す図。
【図３】一実施例における利用者存在場所確定フローチャートを示す図。
【図４】一実施例における地図データ属性データファイル６の例を示す図。
【図５】一実施例における利用者スケジュールファイル７の例を示す図。
【図６】一実施例における利用者現在地ファイル８の例を示す図。
【図７】一実施例における地図データ登録イメージを示す図。
【発明を実施するための形態】
【００１１】
以下、図面を参照して、本発明の一実施形態について説明する。
図１に示す、スケジュール管理システムは、携帯電話１、スケジューラサーバ２、地図サーバ３、入退出情報収集部４、参照者端末５、及び地図データ属性データファイル６、利用者スケジュールファイル７、利用者現在地ファイル８を含んで構成される。
携帯電話１は、プログラムを記憶するＲＯＭ１１、種々のデータを記憶するＲＡＭ１２、プログラムを実行する制御部１３、入力操作を行う入力手段及び表示手段を有する操作部１４、利用者の地球上の現在位置を取得するＧＰＳ機能による位置即位機構１５、取得した現在の位置データを地図サーバ３のＧＰＳ情報取得部６へ送信する位置データ送信部１６を有する。
【００１２】
スケジューラサーバ２は、プログラムを記憶するＲＯＭ２１、種々のデータを記憶するＲＡＭ２２、プログラムを実行する制御部２３、種々のデータの入力操作を行う入力手段及び表示手段を有する操作部２４、入力されたスケジュールを利用者スケジュールファイル７に登録するスケジュール登録部２５、スケジュール登録部２５に登録されたスケジュールを参照するスケジュール参照部２６、利用者存在場所確定部２７を有する。
【００１３】
ここで、スケジュール登録部２５に入力される利用者のスケジュールは、操作部２４から入力される情報、及び携帯電話１の操作部１４から入力される情報、及び入退室情報収集部５から入力される情報がある。
入退室情報収集部４とは、管理区域内の部屋の入退室口に設置された入退室の管理装置であり、利用者が所持するＩＣカード４２に保持された利用者ＩＤを読み取る読取部を備えている。利用者はＩＣカードを読取部にかざすことで、部屋の鍵が開き入退室が可能となる。読取部で読み取られた利用者ＩＤ、時刻、当該入退出情報収集部４が設置された部屋の情報等は、地図サーバ３の存在場所登録部３５へ転送される。
スケジュール参照部２６は、スケジュール登録部２５に登録された利用者のスケジュールを参照するための、管理者等が操作する端末であり、該操作部２４の内の１つの端末であってよい。
利用者存在場所確定部２７は、利用者スケジュールファイル７の利用者の状態と、利用者現在地ファイル８の利用者の状態を参照して、利用者が現在どこに居て何をしているのかを判断して確定する。そして、その判断結果に基づいて、利用者スケジュールファイル７の当該利用者の情報を更新する。
【００１４】
地図サーバ３は、プログラムを記憶するＲＯＭ３１、種々のデータを記憶するＲＡＭ３２、プログラムを実行する制御部３３、ＧＰＳ情報取得部３４、存在場所登録部３５、属性データ読取登録部３６を有する。
ＧＰＳ情報取得部３４は携帯電話を所持する利用者の位置情報（座標値）を取得する。
存在場所登録部３５は、ＧＰＳ情報取得部３４で取得された座標値に関して地図データ属性データファイル６を参照して、利用者が現在どこにいるかを割り出す。割り出した結果を利用者現在地ファイル８へ送付する。属性データ読取登録部３６は、地図上の場所（ポリゴン）とその属性データを読み取る。
【００１５】
地図データ属性データファイル６は、属性データ読取登録部３６を通して得られた、地図上の場所（ポリゴン）とその属性情報を記憶する。図４に示すように、このファイル６に登録される情報はポリゴンのジオメトリとその属性情報（場所名称等）である。ジオメトリには、ポリゴンを構成する頂点や線分の長さなどの情報が格納されている。この地図データ属性データファイル６に登録された情報は、表示器の画面には、例えば図７に示すように表示される。
【００１６】
利用者スケジュールファイル７は、各利用者のスケジュール及び現在情報を記憶する。図５に示すように、利用者に付与された利用者ＩＤ毎、１時間単位に時系列式に、利用者の居場所、仕事内容、最新の場所、最新仕事内容が登録される。これらの情報のうち、場所、仕事内容については当初、スケジューラサーバ２の操作部２４から入力され、最新の場所（顧客Ｂ）は携帯電話１の位置即位機構１５から取得される。場所のうち、自社の事務所Ｃについては、利用者のＩＣカードが入退室情報収集部４に読み取られて取得される。なお、最新の場所及び最新の仕事内容は、携帯電話１又はスケジューラサーバ２の操作部２４から利用者自らが入力し、スケジュール登録部２５を介して登録されることもある。また、最新の場所の「Ｘ鉄道移動中」は、地図サーバ３の存在場所登録部３５により算出された情報である。
【００１７】
利用者現在地ファイル８は、図６に示すように、利用者ＩＤに対応して利用者の現在位置を記憶する。現在位置は、ＧＰＳ取得部３４及び入退室情報収集部４から得られる。
なお、利用者スケジュールファイル７及び利用者最新所在地ファイル８は、利用者ＩＤに対応して利用者の所属や氏名も登録するようにしてよい。
【００１８】
次に、図２を参照してＧＰＳによる場所判定動作について説明する。
まず、ＧＰＳ情報取得部３４は、携帯電話１の位置即位機構１５に対するＧＰＳ上の座標値を取得する（Ｓ２０１）。そして、存在場所登録部３５は、その取得した座標値とポリゴンの内外判定処理を行う（Ｓ２０２）。その判定の結果、当該座標値にポリゴンが存在するか否かを判定する（Ｓ２０３）。判定の結果、存在すれば、当該ポリゴンを取得して（Ｓ２０４）、地図データ属性データファイル６を参照して、当該ポリゴンのジオメトリに関係する利用者の場所名称を取得する（Ｓ２０５）。そして、存在場所登録部３５は、利用者現在地ファイル８の当該利用者（例えば利用者ＩＤ００１）に対応する「現在位置」に、最新の現在場所を更新して記憶する（Ｓ２０６）。
なお、上記ポリゴンの存在判定において（Ｓ２０３）、不存在の場合には、所在場所不明として（Ｓ２０５）、「現在位置」に記憶する。
【００１９】
次に、図３を参照して、利用者存在場所確定動作について説明する。
この処理は、スケジューラサーバ２の利用者・存在場所・確定部２７によって実行される処理である。
利用者・存在場所・確定部２７は、利用者現在地ファイル８と利用者スケジュールファイル７を参照して、利用者ＩＤに対応する関係情報を取得する（Ｓ３０１）。そして、利用者スケジュールファイル７の現在時間における利用者（ＩＤ００１）の場所と、利用者現在地ファイル８から取得した利用者（ＩＤ００１）の現在場所の比較する（Ｓ３０２）。比較の結果、一致すれば、利用者スケジュールファイル７に登録されている、場所及び仕事内容を取得して（Ｓ３０３）、利用者の確定した場所及び仕事内容を利用者スケジュールファイル７の「最新の場所」及び「最新の仕事内容」に登録する（Ｓ３０５）。
一方、上記比較の結果、不一致であれば、利用者現在地ファイル８の内容を取得して（Ｓ３０４）、利用者の確定した場所及び仕事内容を利用者スケジュールファイル７の「最新の場所」及び「最新の仕事内容」に登録する（Ｓ３０５）。
【００２０】
図５に示す例によれば、上記比較の結果、両者が一致した場合（Ｓ３０２〜Ｓ３０３、Ｓ３０５）、利用者スケジュールファイル７の「最新の場所」及び「最新の仕事内容」には、利用者が予めスケジュールして登録していた場所及び仕事内容が登録される。一方、不一致の場合には（Ｓ３０２〜Ｓ３０４、Ｓ３０５）、例えば時間帯１２：００〜１３：００のように、予め登録されたスケジュールの「仕事内容」は「移動」であったが、比較の結果、不一致となったので、「最新の場所」は地図サーバ３の処理によって利用者現在地ファイル８に反映された「顧客Ｂ」となる。また、時間帯１３：００〜１４：００のように、「最新の場所」についても、利用者現在地ファイル８に反映された情報から「Ｘ鉄道移動中」となる。
【００２１】
以上のように、スケジューラサーバ２で処理されて利用者スケジュールファイル７の登録内容が更新される状況にあって、管理者や他の関係者（参照者という）が、利用者スケジュールファイル７に登録された利用者の最新の情報を確認したい場合、参照者は操作部２４を操作して、対象とする利用者の氏名或いは利用者ＩＤを入力する。すると、スケジュール参照部２６は、当該利用者ＩＤをキーとして利用者スケジュールファイル７を検索して、利用者ＩＤに対応する情報を読み出して、操作部２４の表示手段に表示する。
表示内容については、図５に示されるように、利用者スケジュールファイル７に記憶された、当該利用者の当日の行動全て（履歴）、或いは参照者によって選択された時間帯の最新の場所及び最新の仕事内容であってもよい。更に、利用者スケジュールファイル７と地図データ属性データファイル６との間にリンクを形成しておき、例えば図５の内容が表示された状態で、最新の場所の「顧客Ｂ」を操作部２４からクリックしたら、地図データ属性データファイル６の「顧客Ｂ」の周辺地図を表示することもできる。
【００２２】
本実施例によれば、利用者は自分のスケジュール（場所及び仕事内容等）を予め利用者スケジュールファイルに登録しておき、その後、事務所の部屋へ入退室する度に、自ら所持するＩＣカードを入退室管理装置に読ませることにより、利用者ＩＤと入退室時刻及び場所情報をスケジュールに反映できる。また、外出先等の入退室管理装置が無い場所に居ても、携帯電話のＧＰＳ機能により現在の位置を取得し、その座標値から地図情報とその属性が対応したファイルを利用して、その者の居場所を判定して、その情報を予め登録された利用者のスケジュール情報と照合して、最新の場所及び仕事内容を判断、及びスケジュールに反映するこができる。また、参照者は、利用者スケジュールファイルをアクセスすることにより、利用者の現在の居場所及び内容を確認することができる。
【００２３】
なお、本発明は上記実施例に限定されずに種々変形して実施し得る。
例えば、図１に示す上記実施例では、スケジューラサーバ２と地図サーバ３は別のサーバとなっているが、変形例によれば、これらのサーバを１つのサーバとして実現することも可能である。即ち、地図サーバ３の諸機能はアプリケーションプログラムによって実現されるので、これらの機能を実現するプログラムをスケジューラサーバ２に保持して実行させることで、１つのサーバで実現することができる。
また、図１の入退室情報収集部４は不可欠ではない。また、利用者のＩＣカードを読み取る他の検知手段や装置があれば、それを利用することもできる。
【符号の説明】
【００２４】
１：携帯電話、２：スケジューラサーバ、３：地図サーバ、４：入退出情報収集部、６：地図データ属性データファイル、７：利用者スケジュールファイル、８：利用者現在地ファイル。
【図１】
2011022706.tif 000003
【図２】
2011022706.tif 000004
【図３】
2011022706.tif 000005
【図４】
2011022706.tif 000006
【図５】
2011022706.tif 000007
【図６】
2011022706.tif 000008
【図７】
2011022706.tif 000009